(57)【要約】【課題】偽造防止テープを提供する。【解決手段】偽造防止テープは、基材と、該基材の1つの表面に形成された識別層と、基材より離れた当該偽造防止テープの表面に形成された粘着層と、を備えている。偽造防止テープは、該基材、該識別層、該粘着層の両側にそれぞれ対応して設けられた複数の切込み部を有することを特徴とする。これにより、使用者が該偽造防止テープの所定の範囲を該切込み部により容易に切断することができ、被シール物上の偽造防止テープを引き剥がした際に、該偽造防止テープの一部が引き裂かれることで、シール状態の完全性を識別することが可能になる。【選択図】図１ａ
0003150719.tif 000002
【実用新案登録請求の範囲】
【請求項１】
シール状態の完全性を識別するために被シール物に適用される偽造防止テープであって、
基材と、
前記基材の1つの表面に形成された少なくとも1つの識別層と、
前記基材より離れた当該偽造防止テープ表面に形成された粘着層と、
被シール物上の該偽造防止テープを引き剥がした際に、該偽造防止テープの一部が引き裂かれるようにすることで、シール状態の完全性を識別することができるようにするために、前記基材、前記識別層、前記粘着層の両側にそれぞれ対応して設けられた、所定の範囲の当該偽造防止テープを切断するための複数の切り込み部と、
を備えていることを特徴とする偽造防止テープ。
【請求項２】
前記識別層は、前記基材の1つの表面に局部形成された第1の識別層と、
前記基材における前記第１の識別層と同側にある表面に局部形成され、前記第1の識別層に交錯して設けられた第２の識別層と、
を含むことを特徴とする請求項1に記載の偽造防止テープ。
【請求項３】
前記粘着層が、前記第1の識別層及び前記第２の識別層の前記基材に対向する表面に貼り合わせ、粘膜層と、接着層とを含むことを特徴とする請求項２に記載の偽造防止テープ。
【請求項４】
前記第２の識別層の前記粘膜層に対する粘着力が、前記粘膜層の前記接着層に対する粘着力より小さく、しかも前記接着層の被シール物に対する粘着力より小さいが、前記基材の前記第1の識別層に対する粘着力が、前記第1の識別層の前記第２の識別層に対する粘着力より大きく、前記第1の識別層の前記第２の識別層に対する粘着力が、前記粘着層の前記第２の識別層に対する粘着力より小さいことを特徴とする請求項３に記載の偽造防止テープ。
【請求項５】
識別層として前記基材の裏面側に印刷された印字層と、前記印字層に形成された空隙と、識別層として前記印字層及び前記空隙内に塗布された色固着層と、を含み、
前記色固着層と前記粘着層との間に非離脱層が塗布されていることを特徴とする請求項1に記載の偽造防止テープ。
【請求項６】
前記粘着層の前記色固着層に対する粘着力が、前記色固着層の前記印字層に対する粘着力より大きいが、前記色固着層の前記基材に対する粘着力より小さいことを特徴とする請求項５に記載の偽造防止テープ。
【請求項７】
識別層として前記基材の裏面側に印刷された印字層と、前記印字層に形成された空隙と、識別層として前記印字層及び前記空隙内に塗布された色固着層と、を含み、
前記粘着層が、粘膜層及び接着層を備えていることを特徴とする請求項1に記載の偽造防止テープ。
【請求項８】
前記印字層の前記色固着層に対する粘着力が、前記粘膜層の前記色固着層に対する粘着力より小さく、しかも前記基材の前記印字層に対する粘着力より小さいが、前記基材の前記色固着層に対する粘着力が、前記粘膜層の前記色固着層に対する粘着力より小さいことを特徴とする請求項７に記載の偽造防止テープ。
【請求項９】
前記切込み部が、Ｖ形切込み部、Ｓ形切込み部、Ｕ形切込み部、Ｙ形切込み部、半円形切込み部、及びＩ形切込み部からなるグループのいずれか1つから選択されることを特徴とする請求項１に記載の偽造防止テープ。
【請求項１０】
前記切込み部が、前記基材、前記識別層及び前記粘着層の両側を局部切断してなることを特徴とする請求項1に記載の偽造防止テープ。
【考案の詳細な説明】
【技術分野】
【０００１】
本考案は、偽造防止テープに関し、より詳しくは、所定の範囲を容易に切断することができる偽造防止テープに関する。
【背景技術】
【０００２】
ハイテクノロジーの発展や消費者の包装安全性への要求が高まっていることに伴い、偽造防止機能を有する偽造防止紙、偽造防止薄膜、及び偽造防止テープ等の使用が拡がっている。これらは、製品の特性に応じて、例えば重要書類袋、宅配便袋、現金袋、裁判所証拠品袋、電子商品または規制薬品及び、証明書類、パッケージ、ダンボール、引き出し、セーフティボックス、レッカー移動の車輌に貼りつけるシールとして広汎に応用されている。
【０００３】
偽造防止テープは、テープの基材の裏面に偽造防止標示を有する識別層として少なくとも1層のコーティングが塗布され、識別層の上に粘着層として接着剤が塗布されたものであり、偽造防止テープで物品の上にシールされる。
【０００４】
また、識別層と粘着層の間の粘着度を識別層と基材の間の粘着度よりも大きくしていることで、物品より偽造防止テープの基材を引き剥がした場合、識別層上の偽造防止標示が被シール物上に残り、これによりシール状態が完全であるか否かを識別することが可能である。
【０００５】
ただし、従来の偽造防止テープでは、基材が引き剥がされると、一旦シールされたシールロが完全性を失ってしまうため、物品をシール状態に再び保持することができず、機密の保守に不利である。
【０００６】
上記した従来の偽造防止テープの欠点を解決するために、本願の出願者より１９９９年１０月１１目に偽造防止テープが実用新案として台湾で出願されており、２００１年５月１日に公告されている（特許文献１）。この偽造防止テープは、基材裏面に印字層が印刷され、該印字層上及び該基板上に印字層がない箇所には色固着層が塗布されている。該印字層及び該色固着層は、偽造防止標示を有する識別層であり、該色固着層上に粘着層として粘膜層及び接着層が順次に形成されることで、該偽造防止テープがシールしたい物品の上に粘着されるようになっている。
【０００７】
該印字層の該色固着層に対する粘着力が、該粘膜層の該色固着層に対する粘着力より小さく、しかも該印字層の該色固着層に対する粘着力が、該基材の該印字層に対する粘着力より小さいが、該基材の該色固着層に対する粘着力が、該粘膜層の該色固着層に対する粘着力より大きい。このため、該偽造防止テープにはシール状態がはっきり表示され、該基材が引き剥がされたとしても、該粘膜層が被シール物に粘着されているため、シールロの密封を保持することができる。
【０００８】
ただし、該偽造防止テープの各層の側辺は平滑な辺縁であり、一般の基材はプラスチック製のシートである。この場合、使用者が、巻かれた状態の偽造防止テープから該偽造防止テープの一部を分離しようとすると、切断のためにハサミまたはそれに類したカッティング工具を使う必要があり、使用の上で極めて不便である。
【０００９】
また、特許文献２には、透明テープに適用され、工具を使用することなく、手でテープを切断できるような切断しやすいテープが提案されている。
ただし、このような透明テープには上述の偽造防止テープの偽造防止機能が欠けているため、被シール物のシール後の完全性を識別することができず、包装の安全性に対する要求を満たすことはできない。これでは使用者は、上記の偽造防止テープを別途に貼着しなければならないため、使用上不便である。
【００１０】
従って、上記の事情を鑑み、本考案者が鋭意検討を行った結果、上記の不具合を合理的且つ有効に解決することができることを見出し、本考案を完成するに至った。
【特許文献１】台湾実用新案公告第４３３２７９号
【特許文献２】台湾実用新案公告第Ｍ３１５７２３号
【考案の概要】
【考案が解決しようとする課題】
【００１１】
そこで、以上のとおりの事情に鑑み、本考案は、局部を容易に切断することができる偽造防止テープを提供することを課題とする。
また、本考案は、被シール物へのシール状態の完全性の識別を向上させることが可能な偽造防止テープを提供することを課題とする。
【課題を解決するための手段】
【００１２】
上記の課題を解決するために、本考案に係る偽造防止テープは、シール状態の完全性を識別するために被シール物に適用される偽造防止テープであって、基材と、該基材の1つの表面に形成された少なくとも1つの識別層と、該基材より離れた当該偽造防止テープの表面に形成された粘着層と、被シール物上の偽造防止テープを引き剥がした際に、該偽造防止テープの一部が引き裂かれるようにすることで、シール状態の完全性を識別するために、該基材、該識別層、該粘着層の両側にそれぞれ対応して設けられた、所定の範囲の当該偽造防止テープを切断するための複数の切込み部と、を備えていることを特徴とする。
【００１３】
前記偽造防止テープでは、上記切込み部は、例えばＶ形切込み部、Ｓ形切込み部、Ｕ形切込み部、Ｙ形切込み部、半円形切込み部、及びＩ形切込み部からなるグループのいずれか1つから選択される。この切込み部は、基材、識別層、粘着層の両側に凹設されるほか、該基材、該識別層、及び該粘着層の両側の一部を切断してなるものであってもよい。
【００１４】
従来の技術と比較して、本考案は、構造の異なる偽造防止テープに適用されており、偽造防止テープの局部を切込み部により容易に切断できるため、使用者の使用時の利便性が向上する。また、被シール物上の偽造防止テープが引き剥がされた揚合あるいは引き剥がされそうとした場合、応力が切込み部に集中し、偽造防止テープの一部が引き裂かれることで、被シール物に対する識別能力を向上させる。これで、本考案に係る技術の応用により、従来技術の種々の欠点を解決することができるようになる。
【図面の簡単な説明】
【００１５】
【図１ａ】本考案に係る巻きテープ状に巻き上げられた偽造防止テープの第１の実施例の側断面図である。
【図１ｂ】図１ａのＡ−Ａ線分に沿って切断された場合の断面図である。
【図１ｃ】図１ａのＡ−Ａ線分に垂直する方向に沿って切断された場合の側断面図である。
【図２ａ】図1ａ〜１ｃに示す偽造防止テープを被シール物に粘着して、基材を引き剥がした場合の側断面図である。
【図２ｂ】図1ａ〜１ｃに示す偽造防止テープの平面図であり、基材が引き剥がされ、偽造防止テープが被シール物に残された部分に裂け目が生じた様子を示す。
【図３】本考案に係る偽造防止テープの第２の実施例の側断面図である。
【図４】図３の偽造防止テープが被シール物に粘着されてから、偽造防止テープを引き剥がそうとして基材が引かれた場合の側断面図である。
【図５】図３の偽造防止テープの俯瞰図であり、基材が引き剥がされ、偽造防止テープが被シール物に残された部分に裂け目が生じた様子を示す。
【図６】本考案に係る偽造防止テープの第３の実施例の側断面図である。
【図７】図６の偽造防止テープが被シール物に粘着されてから、基材が引き剥がされた場合の側断面図である。
【図８ａ】基材が引き剥がされた後に、引き剥がし標示が現れた偽造防止テープの平面図である。
【図８ｂ】基材が引き剥がされた後に、リバース引き剥がし標示が現れた基材の平面図である。
【考案を実施するための形態】
【００１６】
以下、特定の具体的な実施例により本考案の実施形態を説明する。明細書に記載の内容は、この技術分野に精通した者なら本考案のその他の利点や効果を簡単に理解できる。
【実施例１】
【００１７】
図１ａ〜図２ｂは、本考案に係る偽造防止テープ１０の第1の実施例に基づいて描かれた図を模式的に示したものである。
図１ａ〜図１ｃに示すように、本実施例に係る偽造防止テープ１０は、基材1と、基材1の1つの表面に局部形成された第1の識別層２と、基材1上における第1の識別層２と同側の表面に局部形成され、第1の識別層２と交錯して設けられた第２の識別層３と、第1の識別層２及び第２の識別層３の基材１に対向する表面に貼合された粘着層４と、基材1、第1の識別層２、第２の識別層３及び粘着層４の両側にそれぞれ対応して設けられ、所定の範囲の偽造防止テープ10を切断するための複数の切込み部１０１と、を備えている。
【００１８】
基材1は、引き剥がされたとき、その裏面に表示された識別層が容易に観察できるように、例えば、透明又は半透明状のプラスチックシート材料からなる。
第1の識別層２は、色や透明度が前述した基材1と同一であり、基材1との間に粘着性を有する樹脂材料からなり、引き剥がし状態を識別することを表示するための標示を印刷技術により基材1の裏面に印刷したものである。
【００１９】
第２の識別層３は、前述した基材1が偽造防止テープ１０より引き剥がされた後のシール状態がはっきり識別できるように、基材1及び第1の識別層２と異なるいずれかの色のインキを使用する。
【００２０】
粘着層４は、粘膜層４ａ及び接着層４ｂを含み、粘膜層４ａは粘性を有する薄膜からなり、基材1が偽造防止テープ１０より引き剥がされた後、第1の識別層２０に形成された色を固着した状態で、被シール物上において粘膜層４ａにより粘着することができる。偽造防止テープ１０が被シール物上に粘着されるために、接着層４ｂは、例えば、接着剤により粘膜層４ａ上に塗布される。
【００２１】
切込み部１０１は、基材1、第1の識別層２、第２の識別層３、及び粘着層４の両側に対称的に形成され、使用者が加える応力がそれらの切込み部１０１に集中することにより、偽造防止テープ１０の一部を自由に切断することができる。本実施例において、これらの切込み部１０１は、基材1、第1の識別層２、第２の識別層３、及び粘着層４の両側に凹設されることにより、基材1、第1の識別層２、第２の識別層３、及び粘着層４の両側を、例えば鋸歯状の側辺とし、例えばＶ形切込み部とすることができる。ただし、本実施例に限定されるものではない。
【００２２】
一つの例として、これらの切込み部１０１は、連続したＳ形切込み部、Ｕ形切込み部、Ｙ形切込み部、半円形切込み部、Ｉ形切込み部であってもよく、若しくは応力が基材1、第1の識別層２、第２の識別層３、粘着層４の両側に集中する、その他の均等した切込み部であってもよい。つまり、それらの切込み部１０１が基材1、第１の識別層２、第２の識別層３、及び粘着層４の両側に凹設されてもよく、基材1、第1の識別層２、第２の識別層３、及び粘着層4の両側の一部を切断してなる切込み部１０１を設置してもよい。即ち、基材1、第1の識別層２、第２の識別層３、及び粘着層４の両側を局部切断できる切込み部１０１を設置してもよい。偽造防止テープの所属する技術領域において、通常知識を有する者なら、前記切込み部１０１の構造を理解すると共にそれに基づき実施し得るため、ここでは詳しい説明を省略する。
【００２３】
図２ａに示すように、第２の識別層３の粘膜層４ａに対する粘着力が、粘膜層４ａの接着層４ｂに対する粘着力より小さく、かつ接着層４ｂの被シール物に対する粘着力より小さいが、基材１の第1の識別層２に対する粘着力が、第１の識別層２の第２の識別層３に対する粘着力より大きく、第１の識別層２の第２の識別層３に対する粘着力が、粘着層４の第２の識別層３に対する粘着力より小さいため、偽造防止テープを引き剥がすために基材１が引かれた場合、粘着力の大きさの差異により、第１の識別層２が基材１とともに偽造防止テープより離脱し、もともと第１の識別層２上にあった第２の識別層３が第１の識別層２から離脱し、粘着層４の粘膜層４ａ上に残される。
【００２４】
粘膜層４ａが接着層４ｂの作用により被シール物にそのまま粘着され、図２ｂに示すように、第２の識別層３のみが現れるため、上から下へ観察すれば、すでに引き剥がされたことを示す標示(例えばＶＯＩＤ)が表示され、偽造防止テープの基材１が引き剥がされたことをはっきり識別することができる。
【００２５】
また、切込み部１０１があるため、被シール物上の偽造防止テープ１０の基材１を引き剥がした際に、偽造防止テープ１０の一部が引き裂かれることで、シール状態が完全か否かが識別でき、識別の効果を向上することが可能になる。
【実施例２】
【００２６】
図３〜図５は、本考案に係る偽造防止テープの第２の実施例に基づいて描かれた図を模式的に示したものである。図３に示すように、本実施例の偽造防止テープは、透明又は半透明のプラスチックシートからなる基材１１と、識別層として基材１１の裏面側に印刷された印字層１２と、印字層１２に形成された空隙２０と、識別層として印字層１２上及び空隙２０内に塗布された色固着層１３と、色固着層１３上に塗布された非離脱層１４と、非離脱層１４の表面に塗布された粘着層１５と、粘着層１５上に貼着された粘着防止紙１６と、基材１１、印字層１２、色固着層１３、非離脱層１４、粘着層１５及び粘着防止紙１６の両側に対称的に設けられた複数の切込み部１０１(図５参照)と、を備えている。
【００２７】
本実施例において、基材１１は透明又は半透明状であり、その裏面印字層１２に表示された引き剥がし標示が表面から観察される。印字層１２は、色や透明度が基材１１と同一であり、基材１１との間に粘着性を有する樹脂材料をいずれかの印刷技術により基材１１の裏面に印刷したものである。本実施例において、印字層１２は、例えば図４に示すように「開封済み」、「ＶＯＩＤ」という字、パターン、記号等の引き剥がし標示を表示させてもよい。また色固着層１３は、引き剥がしを防止できる明晰度が表示されるよう、識別層として、色が基材１１と印字層１２のいずれとも適当な差異があるインキにより構成されてもよい。例えば、使用者に引き剥がし防止作用を明確に知らせたい場合には、基材１１と印字層１２との色対比を深くし、部外者に引き剥がし防止作用を気づかれにくくしたい場合には、色対比を浅くしてもよい。
【００２８】
さらに、色固着層１３及び印字層１２の粘着力が、色固着層１３及び基材１１の裏面の粘着力より小さく、かつ色固着層１３が印字層１２上に塗布された場合、印字層１２の字形、パターン、記号等がある箇所とは別に、基材１１の裏面において印字層１２のない箇所及び印字層１２間の空隙２０の箇所のいずれにも色固着層１３が塗布され、基材１１が引き剥がされた場合、色固着層１３が印字層１２より分離しても、印字層１２が基材１１の裏面にそのまま粘着しているため、色固着層１３を対照用下色とし、色固着層１３と分離した印字層１２を基材１１の表面より識別することができる。
【００２９】
非離脱層１４は、メディア材質として色固着層１３と粘着層１５の間に塗布され、色固着層１３のインキ上に接着剤が適宜に塗布されることで粘着層１５が形成され、粘着層１５と色固着層１３の間に強力な粘着力を有して一体に結合されている。粘着層１５は、偽造防止テープが被シール物に粘着されるために、被シール物に粘着可能な材料を粘着層１５として採用することが好ましい。また、偽造防止テープを引き剥がした後、基材が被シール物上に再び粘着されることがないようにすることが好ましい。
【００３０】
粘着防止紙１６は、例えば従来の標示紙であり、使用時にまず粘着防止紙１６を引き剥がして、偽造防止テープを被シール物上に粘着する。偽造防止テープを引き剥がそうとして基材１１を引くと、図４に示すように、粘着層１５の被シール物Ａに対する粘着力が、非離脱層１４を介して色固着層１３上に作用し、色固着層１３が同時に印字層１２及び基材１１に対して離脱する作用力が生じる。ただし、色固着層１３の基材１１に対する粘着力が、色固着層１３の印字層１２に対する粘着力より大きいため、色固着層１３と印字層１２の間が引き開けられ、ギャップ２１が形成されるが、色固着層１３と基材１１との間は密接状態が維持される。従って、基材１１の表面から見れば、図５及び図４に示すように、印字層１２の引き剥がし標示Ｂは上記のギャップ２１により現れ、その色は基材１１そのものの色である。
【００３１】
この場合、図４に示すように、引き剥がそうとされたあるいは引き剥がされた偽造防止テープを再び被シール物Ａ上に貼着し、偽造防止テープによるシールの作用を継続させようと、引き剥がそうとされたあるいは引き剥がされた事実を隠蔽しようとしても、ギャップ２１が生じたため、引き剥がされた標示Ｂが基材１１の表面に表示され、引き剥がす前の状態に戻すことができなくなり、前述した切込み部１０１により偽造防止テープの局部が引き裂かれる。
【００３２】
第２の実施例と第１の実施例の主な差異は、第２の実施例において切込み部１０１が、基材１１、印字層１２、色固着層１３、非離脱層１４、粘着層１５及び粘着防止紙１６を有する偽造防止テープの両側に設けられている点である。つまり、構造の異なる偽造防止テープであっても、切込み部１０１の設置は可能である。
【実施例３】
【００３３】
また、図６〜図８ｂは、本考案に係る偽造防止テープの第３の実施例に基づいて描かれた図を模式的に示したものである。そのうち、第２の実施例と同一の部分には同一の符号を付し、詳しい説明は省略する。
【００３４】
図６に示すように、第３の実施例の偽造防止テープは、基材１１と、識別層としての印字層１２と、印字層１２に形成された空隙２０と、識別層としての色固着層１３と、粘膜層１４ａと接着層１５ａを含む粘着層と、所定の間隔をおいて基材１１、印字層１２、色固着層１３、粘着層の両側にそれぞれ対応して設けられた複数の切込み部１０１(図８ａ及び図８ｂ参照)と、を備えている。
【００３５】
ただし、第２の実施例において、接着層１５ａの色固着層１３に対する粘着力が、色固着層１３の印字層１２に対する粘着力より大きいが、色固着層１３の基材１１に対する粘着力より小さい。第３の実施例では非離脱層１４がなく、その印字層１２の色固着層１３に対する粘着力が、粘膜層１４ａの色固着層１３に対する粘着力より小さく、しかも基材１１の印字層１２に対する粘着力より小さいが、基材１１の色固着層１３に対する粘着力が、粘膜層１４ａの色固着層１３に対する粘着力より小さい。
【００３６】
このような場合において、偽造防止テープを引き剥がそうとすれば、図７に示すように、接着層１５ａの被シール物Ａに対する作用力が、粘膜層１４ａを介して色固着層１３上に作用してしまうため、色固着層１３が基材１１に対して離脱する作用力が生じる。基材１１の印字層１２に対する粘着力が、印字層１２の印字層１２上にある色固着層１３の一部に対する粘着力より大きく、また印字層１２の一部の色固着層１３に対する粘着力が、粘膜層１４ａの一部の色固着層１３に対する粘着力より小さいため、このような粘着力の大きさの差異により、印字層１２及びその空隙２０内の色固着層１３の部分(即ち、色固着層１３が粘膜層１４ａより離脱する所定の部分)が、基材１１とともに偽造防止テープより離脱し、印字層１２上の色固着層１３が印字層１２より離脱し、粘膜層１４ａ上に残され、粘膜層１４ａが接着層１５ａの作用により被シール物Ａ上に貼着されている。
【００３７】
図８ａに示すように、被シール物Ａ上の粘膜層１４ａに粘着された色固着層１３には、印字層１２上に塗布された一部のみが残されたため、粘膜層１４ａの上方から下へと偽造防止テープを観察すれば、引き剥がされた字、パターン又は記号等の引き剥がし標示Ｂが表示され、偽造防止テープの基材が引き剥がされたことをはっきり識別することができる。
【００３８】
図８ｂに示すように、基材１１と共に引き剥がされた印字層１２の空隙２０内の色固着層１３の部分は、基材１１の表面上に図８ａとは逆のリバース引き剥がし標示Ｃが表示される。
【００３９】
また、それらの切込み部１０１に応力が集中し、偽造防止テープが引き剥がされた際に、図８ａ及び図８ｂに示すように偽造防止テープの一部が引き裂かれる。
従来の偽造防止テープと比較して、本考案に係る偽造防止テープでは、偽造防止テープの各層の側辺に形成される切込み部が設けられることにより、偽造防止テープを所定の長さに切断することができるため、従来の偽造防止テープのように工具を使用して切断する必要があるという不便を回避することができる。
【００４０】
また、それらの切込み部に応力が集中し、偽造防止テープが引き剥がされた際に、それらの切込み部により偽造防止テープを引き裂くことで、被シール物へのシール状態の完全性を識別できる効果が図れる。上記のように、本考案に係る偽造防止テープは、従来の問題が十分解決されているため、高い産業利用価値がある。
【００４１】
上記のように、これらの実施の形態は本考案の原理及び効果・機能を例示的に説明するものであり、本考案は、これらによって限定されるものではない。
本考案に係る実質的な技術内容は、下記の実用新案請求の範囲に定義される。本考案は、この技術分野に精通した者により実用新案講求の範囲を逸脱しない範囲で色々な修飾や変更をすることが可能であり、そうした修飾や変更は本考案の技術範囲に含まれるものである。
【符号の説明】
【００４２】
１  基材
２  第1の識別層
３  第２の識別層
４  粘着層
４ａ  粘膜層
４ｂ  接着層
１０  偽造防止テープ
１０１  切込み部
１１  基材
１２  印字層
１３  色固着層
１４  非離脱層
１４ａ  粘膜層
１５  粘着層
１５ａ  接着層
１６  粘着防止紙
２０  空隙
２１  ギヤップ
Ａ  被シール物
Ｂ  引き剥がし標示
Ｃ  リバース引き剥がし標示
【図１ａ】
0003150719.tif 000003
【図１ｂ】
0003150719.tif 000004
【図１ｃ】
0003150719.tif 000005
【図２ａ】
0003150719.tif 000006
【図２ｂ】
0003150719.tif 000007
【図３】
0003150719.tif 000008
【図４】
0003150719.tif 000009
【図５】
0003150719.tif 000010
【図６】
0003150719.tif 000011
【図７】
0003150719.tif 000012
【図８ａ】
0003150719.tif 000013
【図８ｂ】
0003150719.tif 000014